(57)【要約】      （修正有）【課題】表示パネルの下部をサブパネル内に後退させることなく、逆チルト動作させる表示パネル駆動機構を提供する。【解決手段】表示パネルを有する表示ユニット３が表面に配置された電子機器本体に対して進退する逆チルト用スライドバー５２と、表示ユニット３の上部と逆チルト用スライドバー５２とを回動可能に連結する第一軸１０１と、表示ユニット３の下部と電子機器本体とを回動可能に連結する第二軸１０２と、を備え、表示ユニット３の上部は、逆チルト用スライドバー５２が電子機器本体から離れるとき、第一軸１０１を介して電子機器本体から離れる方向に動かされ、逆チルト用スライドバー５２が電子機器本体へ近づくとき、第一軸１０１を介して電子機器本体へ近づく方向に動かされ、表示ユニット３の下部は、逆チルト用スライドバー５２が電子機器本体に対して進退するとき、第二軸１０２によって電子機器本体に対する進退動作が規制される。【選択図】図１０
2019120741.tif 000002
【特許請求の範囲】
【請求項１】
表示パネルを有する表示ユニットが表面に配置された電子機器本体に対して進退するスライドバーと、
前記表示ユニットの上部と前記スライドバーとを回動可能に連結する第一連結部と、
前記表示ユニットの下部と前記電子機器本体とを回動可能に連結する第二連結部と、
を備え、
前記表示ユニットの上部は、前記スライドバーが前記電子機器本体から離れるとき、前記第一連結部を介して前記電子機器本体から離れる方向に動かされ、前記スライドバーが前記電子機器本体へ近づくとき、前記第一連結部を介して前記電子機器本体へ近づく方向に動かされ、
前記表示ユニットの下部は、前記スライドバーが前記電子機器本体に対して進退するとき、前記第二連結部によって前記電子機器本体に対する進退動作が規制される、
ことを特徴とする表示パネル駆動機構。
【請求項２】
前記スライドバーは一対で構成され、
一方の前記スライドバーに連結された駆動ユニットと、
一対の前記スライドバーを連結して、前記駆動ユニットによって生じた駆動力を他方の前記スライドバーに伝達する連結軸と、
を備え、
一方の前記スライドバーは、連結された前記駆動ユニットの駆動力によって前記電子機器本体に対して進退し、
他方の前記スライドバーは、前記連結軸を介して伝達された前記駆動ユニットの駆動力によって前記電子機器本体に対して進退する、
請求項１に記載の表示パネル駆動機構。
【請求項３】
前記一対のスライドバーと前記駆動ユニットと前記連結軸とは、前記電子機器本体の外周に沿って配置されている、
請求項２に記載の表示パネル駆動機構。
【請求項４】
前記第一連結部は、電子機器本体の表面に配置されたガイド部に係合し、
前記表示ユニットの上部は、前記スライドバーが前記電子機器本体に対して進退するとき、前記第一連結部が前記ガイド部に沿って摺動することによってガイドされる、
請求項１から３のいずれか一項に記載の表示パネル駆動機構。
【請求項５】
前記第二連結部は、前記表示パネルの表面を下向きにした状態で傾倒させるチルト用駆動機構と前記表示ユニットの下部とを回動可能に連結する、
請求項１から４のいずれか一項に記載の表示パネル駆動機構。
【請求項６】
表示パネル、
および、
表示パネルを有する表示ユニットが表面に配置された電子機器本体に対して進退するスライドバーと、
前記表示ユニットの上部と前記スライドバーとを回動可能に連結する第一連結部と、
前記表示ユニットの下部と前記電子機器本体とを回動可能に連結する第二連結部と、
を有する表示パネル駆動機構と、
を備え、
前記表示ユニットの上部は、前記スライドバーが前記電子機器本体から離れるとき、前記第一連結部を介して前記電子機器本体から離れる方向に動かされ、前記スライドバーが前記電子機器本体へ近づくとき、前記第一連結部を介して前記電子機器本体へ近づく方向に動かされ、
前記表示ユニットの下部は、前記スライドバーが前記電子機器本体に対して進退するとき、前記第二連結部によって前記電子機器本体に対する進退動作が規制される、
ことを特徴とする表示ユニット。
【請求項７】
電子機器の電子機器本体の表面を有する筐体、
表示パネル、
および、
表示パネルを有する表示ユニットが表面に配置された電子機器本体に対して進退するスライドバーと、
前記表示ユニットの上部と前記スライドバーとを回動可能に連結する第一連結部と、
前記表示ユニットの下部と前記電子機器本体とを回動可能に連結する第二連結部と、
を有する表示パネル駆動機構と、
を備え、
前記表示ユニットの上部は、前記スライドバーが前記電子機器本体から離れるとき、前記第一連結部を介して前記電子機器本体から離れる方向に動かされ、前記スライドバーが前記電子機器本体へ近づくとき、前記第一連結部を介して前記電子機器本体へ近づく方向に動かされ、
前記表示ユニットの下部は、前記スライドバーが前記電子機器本体に対して進退するとき、前記第二連結部によって前記電子機器本体に対する進退動作が規制される、
ことを特徴とする電子機器。
【発明の詳細な説明】
【技術分野】
【０００１】
本発明は、表示パネル駆動機構、表示ユニット、および、電子機器に関する。
【背景技術】
【０００２】
例えば、ＡＶ一体型のカーナビゲーションシステムまたはカーオーディオなどの車両用の電子機器は、乗員の目線より上に取付けられる場合や、傾斜させて取付けられる場合がある。このような場合、電子機器の姿勢を調節して視認性を確保したり、表示パネルにおける太陽光の反射を抑制したりするために、表示パネルの表面を下向きに傾倒させる逆チルト動作を行う技術が知られている（例えば、特許文献１参照）。
【先行技術文献】
【特許文献】
【０００３】
【特許文献１】特開２００９−２５８５４２号公報
【発明の概要】
【発明が解決しようとする課題】
【０００４】
電子機器には、視認性の向上など様々な目的のために、表示パネルを大型化したいという要望がある。ところが、特許文献１に記載された技術は、表示パネルの下部をサブパネル内に後退させて表示パネルの逆チルト動作を行う。このため、表示パネルの大きさは、サブパネルおよび筐体の大きさによって制限される。より詳しくは、サブパネルに対し表示パネルを大型化して、サブパネルの下端部よりも下側に表示パネルが張り出している場合、表示パネルの逆チルト動作をしようとしても、表示パネルの下部をサブパネル内へ後退させることができないので、逆チルト動作の実現が困難となる。このため、表示パネルの逆チルト動作時に、表示パネルの下部をサブパネル内に後退させることを抑制することが望まれる。
【０００５】
本発明は、上記に鑑みてなされたものであって、表示パネルの下部をサブパネル内に後退させることなく逆チルト動作させる表示パネル駆動機構、表示ユニット、および、電子機器を提供することを目的とする。
【課題を解決するための手段】
【０００６】
上述した課題を解決し、目的を達成するために、本発明に係る表示パネル駆動機構は、表示パネルを有する表示ユニットが表面に配置された電子機器本体に対して進退するスライドバーと、前記表示ユニットの上部と前記スライドバーとを回動可能に連結する第一連結部と、前記表示ユニットの下部と前記電子機器本体とを回動可能に連結する第二連結部と、を備え、前記表示ユニットの上部は、前記スライドバーが前記電子機器本体から離れるとき、前記第一連結部を介して前記電子機器本体から離れる方向に動かされ、前記スライドバーが前記電子機器本体へ近づくとき、前記第一連結部を介して前記電子機器本体へ近づく方向に動かされ、前記表示ユニットの下部は、前記スライドバーが前記電子機器本体に対して進退するとき、前記第二連結部によって前記電子機器本体に対する進退動作が規制される、ことを特徴とする。
【０００７】
上述した課題を解決し、目的を達成するために、本発明に係る表示ユニットは、表示パネル、および、表示パネルを有する表示ユニットが表面に配置された電子機器本体に対して進退するスライドバーと、前記表示ユニットの上部と前記スライドバーとを回動可能に連結する第一連結部と、前記表示ユニットの下部と前記電子機器本体とを回動可能に連結する第二連結部と、を有する表示パネル駆動機構と、を備え、前記表示ユニットの上部は、前記スライドバーが前記電子機器本体から離れるとき、前記第一連結部を介して前記電子機器本体から離れる方向に動かされ、前記スライドバーが前記電子機器本体へ近づくとき、前記第一連結部を介して前記電子機器本体へ近づく方向に動かされ、前記表示ユニットの下部は、前記スライドバーが前記電子機器本体に対して進退するとき、前記第二連結部によって前記電子機器本体に対する進退動作が規制される、ことを特徴とする。
【０００８】
上述した課題を解決し、目的を達成するために、本発明に係る電子機器は、電子機器の電子機器本体の表面を有する筐体、表示パネル、および、表示パネルを有する表示ユニットが表面に配置された電子機器本体に対して進退するスライドバーと、前記表示ユニットの上部と前記スライドバーとを回動可能に連結する第一連結部と、前記表示ユニットの下部と前記電子機器本体とを回動可能に連結する第二連結部と、を有する表示パネル駆動機構と、を備え、前記表示ユニットの上部は、前記スライドバーが前記電子機器本体から離れるとき、前記第一連結部を介して前記電子機器本体から離れる方向に動かされ、前記スライドバーが前記電子機器本体へ近づくとき、前記第一連結部を介して前記電子機器本体へ近づく方向に動かされ、前記表示ユニットの下部は、前記スライドバーが前記電子機器本体に対して進退するとき、前記第二連結部によって前記電子機器本体に対する進退動作が規制される、ことを特徴とする。
【発明の効果】
【０００９】
本発明によれば、表示パネルの下部をサブパネル内に後退させることなく逆チルト動作させることができるという効果を奏する。
【図面の簡単な説明】
【００１０】
【図１】図１は、実施形態に係る電子機器を車両に取り付けた状態を示す図である。
【図２】図２は、実施形態に係る表示ユニットを示す斜視図であり、表示ユニットの逆チルト状態を示す図である。
【図３】図３は、実施形態に係る逆チルト用駆動機構とチルト用駆動機構と筐体とを示す斜視図である。
【図４】図４は、実施形態に係る逆チルト用駆動機構とチルト用駆動機構と筐体とを示す斜視図である。
【図５】図５は、実施形態に係る逆チルト用駆動機構を示す斜視図である。
【図６】図６は、実施形態に係る逆チルト用駆動機構を示す正面図である。
【図７】図７は、実施形態に係る逆チルト用駆動機構を示す斜視図である。
【図８】図８は、実施形態に係る逆チルト用駆動機構を示す斜視図である。
【図９】図９は、実施形態に係る表示ユニットを示す図であり、表示ユニットの正立状態を示す図である。
【図１０】図１０は、実施形態に係る表示ユニットを示す図であり、表示ユニットの逆チルト状態を示す図である。
【図１１】図１１は、実施形態に係る逆チルト用駆動機構とチルト用駆動機構と筐体とを示す斜視図である。
【発明を実施するための形態】
【００１１】
以下に添付図面を参照して、本発明に係る逆チルト用駆動機構（表示パネル駆動機構）５を備えた電子機器１の実施形態を詳細に説明する。なお、以下の実施形態により本発明が限定されるものではない。
【００１２】
以下の説明においては、電子機器１を運転席の前方の車両に搭載した状態で各方向を定義する。前後方向とは、車両直進時の進行方向と平行な方向であり、運転席側に向かう方向を前後方向の「前」、前方ウインドシールド側に向かう方向を前後方向「後」とする。前後方向を、Ｘ軸方向とする。左右方向とは、前後方向に対して水平に直交する方向である。運転席側から見て、左手側が「左」、右手側が「右」である。左右方向を、Ｙ軸方向とする。上下方向とは、前後方向および左右方向に対して直交する方向である。上下方向を、Ｚ軸方向とする。したがって、前後方向、左右方向および鉛直方向は、３次元で直交する。
【００１３】
図１は、実施形態に係る電子機器を車両に取り付けた状態を示す図である。図２は、実施形態に係る表示ユニットを示す斜視図であり、表示ユニットの逆チルト状態を示す図である。図３は、実施形態に係る逆チルト用駆動機構とチルト用駆動機構と筐体とを示す斜視図である。図４は、実施形態に係る逆チルト用駆動機構とチルト用駆動機構と筐体とを示す斜視図である。電子機器１は、記憶媒体から情報を読み取る読取ユニット２と、読み取った情報を表示させる表示ユニット３とを有する。電子機器１は、例えば、ＡＶ一体型のカーナビゲーションシステムまたはカーオーディオなどである。
【００１４】
読取ユニット２は、記憶媒体が装着される図示しないメディアスロットが配置され、記憶媒体から情報を読み取る。読取ユニット２は、記憶媒体から読み取った情報と、表示パネルで検出された操作情報とに基づいて、図示しない制御部を介して電子機器１の各部に制御信号を出力する。読取ユニット２は、直方体状の箱状に形成された筐体（電子機器本体）２０を有する。
【００１５】
筐体２０は、表示ユニット３と向かい合う面にサブパネル（電子機器本体の表面）２１が配置されている。言い換えると、筐体２０の表面にサブパネル２１が配置されている。筐体２０は、例えば、クラスタパネル、センターコンソール、インストルメントパネルに取り付けられている。本実施形態では、筐体２０のＹ軸方向の長さは、サブパネル２１のＹ軸方向の長さより短い。筐体２０のＺ軸方向の長さは、サブパネル２１のＺ軸方向の長さより短い。筐体２０の外周には、サブパネル２１の表面と反対側の裏面側において、電子機器１の各部材が配置されていない空間部Ｓが形成されている。空間部Ｓは、筐体２０の底面２０ａの下側と右側面２０ｂの右側部と左側面２０ｃの左側部とに形成されている。
【００１６】
サブパネル２１は、Ｘ軸方向と直交する平面に配置されている。サブパネル２１には、記憶媒体が装着されるメディアスロット２３とメディアスロット２４とが配置されている。サブパネル２１は、前側が開口している。サブパネル２１の開口の内周面には、Ｚ軸方向に沿った方向に延びるガイド溝（ガイド部）２２が形成されている。
【００１７】
ガイド溝２２は、表示ユニット３のチルト動作時および逆チルト動作時に、第一軸（第一連結部）１０１（図９参照）をガイドする。ガイド溝２２は、第一軸１０１の先端部が係合している。ガイド溝２２は、チルト動作用の第一溝２２ａと逆チルト動作用の第二溝２２ｂとを有する。第一溝２２ａと第二溝２２ｂとは連通している。第一溝２２ａは、サブパネル２１のＺ軸方向に沿って形成されている。第一溝２２ａは、表示ユニット３のチルト動作時に、第一軸１０１をガイドする。第二溝２２ｂは、第一溝２２ａの上端部から前方上部に向かって傾いて形成されている。第二溝２２ｂは、表示ユニット３の逆チルト動作時に、第一軸１０１をガイドする。
【００１８】
表示ユニット３は、表面に配置された図示しない表示パネルと、表示ユニット３の姿勢を変化させるチルト用駆動機構４および逆チルト用駆動機構５とを有する。表示ユニット３は、チルト用駆動機構４および逆チルト用駆動機構５とによって正立状態とする正立動作と、逆チルト状態とする逆チルト動作と、チルト状態とするチルト動作とを行う。正立状態とは、表示ユニット３が筐体２０のサブパネル２１に沿って起立した、言い換えると、表示ユニット３の表面がＺ軸方向に沿って起立した状態である。チルト状態とは、表示ユニット３が表面を上向きにして、サブパネル２１に対して傾いた状態である。逆チルト状態とは、表示ユニット３が表面を下向きにして、サブパネル２１に対して傾いた状態である。
【００１９】
表示ユニット３がチルト状態のとき、表示ユニット３は、読取ユニット２に対して開いた状態である。表示ユニット３が正立状態または逆チルト状態のとき、表示ユニット３は、読取ユニット２に対して閉じた状態である。言い換えると、表示ユニット３が正立状態または逆チルト状態のとき、サブパネル２１は表示ユニット３で覆われている。
【００２０】
表示ユニット３のチルト動作時、表示ユニット３は、読取ユニット２のサブパネル２１の第一溝２２ａに沿ってスライドし開閉する。表示ユニット３がチルト状態のとき、読取ユニット２は開いた状態で、サブパネル２１が露出している。表示ユニット３は、下部が筐体２０から遠ざかりながら、上部がサブパネル２１に沿って下側にスライドすることで、筐体２０に対して開いた状態となる。表示ユニット３は、下部が筐体２０に近づきながら、上部がサブパネル２１に沿って上側にスライドすることで筐体２０に対して閉じた状態となる。
【００２１】
表示ユニット３の逆チルト動作時、表示ユニット３の上部は、読取ユニット２のサブパネル２１の第二溝２２ｂに沿ってスライドする。表示ユニット３が逆チルト状態のとき、読取ユニット２に対して閉じた状態で、サブパネル２１に対して傾いている。表示ユニット３は、逆チルト動作によって、下部の筐体２０に対する位置を変えずに、上部がサブパネル２１から離れる方向に傾く。
【００２２】
チルト用駆動機構４は、表示ユニット３をチルト動作させる。チルト用駆動機構４は、筐体２０の下側に配置されている。チルト用駆動機構４は、チルト用スライドプレート４１と駆動ユニット４２と一対のガイドプレート４３とを有する。
【００２３】
チルト用スライドプレート４１は、筐体２０に対してＸ軸方向に進退する。チルト用スライドプレート４１は、駆動ユニット４２によって駆動されて、筐体２０のサブパネル２１に対して前進したり、筐体２０のサブパネル２１に対して後退したりする。チルト用スライドプレート４１は、表示ユニット３に配置された第二軸（第二連結部）１０２（図９参照）と回動可能に連結する。チルト用スライドプレート４１が筐体２０のサブパネル２１に対して前進すると、第二軸１０２を前進させる。チルト用スライドプレート４１が筐体２０のサブパネル２１に対して後退すると、第二軸１０２を後退させる。
【００２４】
駆動ユニット４２は、チルト用駆動機構４の駆動源である。駆動ユニット４２は、モータ４２１を駆動して、チルト用スライドプレート４１を進退させる。駆動ユニット４２は、複数段の歯車を含む。
【００２５】
一対のガイドプレート４３は、チルト用スライドプレート４１の一対の側壁部４１１と対面して筐体２０に配置されている。一対のガイドプレート４３は、チルト用スライドプレート４１の進退動作をガイドする。
【００２６】
このように構成されたチルト用駆動機構４は、表示ユニット３の下部をサブパネル２１から離れる方向に移動させて、表示ユニット３の上部をサブパネル２１に沿って下方に移動させる。
【００２７】
図５ないし図８を参照して、逆チルト用駆動機構５について説明する。図５は、実施形態に係る逆チルト用駆動機構を示す斜視図である。図６は、実施形態に係る逆チルト用駆動機構を示す正面図である。図７は、実施形態に係る逆チルト用駆動機構を示す斜視図である。図８は、実施形態に係る逆チルト用駆動機構を示す斜視図である。逆チルト用駆動機構５は、表示ユニット３を逆チルト動作させる。逆チルト用駆動機構５は、筐体２０の外周に形成された空間部Ｓに配置されている。逆チルト用駆動機構５は、フレーム５１と一対の逆チルト用スライドバー（スライドバー）５２と駆動ユニット５３と連結軸５４と伝達機構５５とを有する。
【００２８】
フレーム５１は、筐体２０の外周を囲んで配置されている。フレーム５１は、一対の逆チルト用スライドバー５２と駆動ユニット５３と連結軸５４と伝達機構５５とが組み付けられている。フレーム５１は、壁部５１１と、壁部５１１の右側の端部から上方に立設された壁部５１２と、壁部５１１の左側の端部から上方に立設された壁部５１３とを有する。壁部５１１と壁部５１２と壁部５１３とは、一体として形成されている。壁部５１１は、筐体２０の底面２０ａと平行な平面状に形成されている。壁部５１２は、筐体２０の右側面２０ｂと平行な平面状に形成されている。壁部５１３は、筐体２０の左側面２０ｃと平行な平面状に形成されている。壁部５１２と壁部５１３とは、対面して配置されている。
【００２９】
一対の逆チルト用スライドバー５２は、筐体２０に対してＸ軸方向に進退する。一対の逆チルト用スライドバー５２は、駆動ユニット５３のモータ５３１で駆動され、筐体２０のサブパネル２１に対して前進したり、筐体２０のサブパネル２１に対して後退したりする。一対の逆チルト用スライドバー５２は、第一軸１０１と回動可能に連結する。一対の逆チルト用スライドバー５２が筐体２０のサブパネル２１に対して前進すると、第一軸１０１を前進させる。一対の逆チルト用スライドバー５２が筐体２０のサブパネル２１に対して後退すると、第一軸１０１を後退させる。
【００３０】
右側の逆チルト用スライドバー５２は、壁部５１２に進退可能に配置されている。言い換えると、右側の逆チルト用スライドバー５２は、筐体２０の外周である右側面２０ｂに沿って配置されている。左側の逆チルト用スライドバー５２は、壁部５１３に進退可能に配置されている。言い換えると、左側の逆チルト用スライドバー５２は、筐体２０の外周である左側面２０ｃに沿って配置されている。
【００３１】
逆チルト用スライドバー５２は、前側の端部に係合部５２ａを有する。係合部５２ａは、Ｙ軸方向視において、下方に向かって開口したコの字形状に形成されている。係合部５２ａは、開口部に第一軸１０１が回動可能に係合される。
【００３２】
駆動ユニット５３は、逆チルト用駆動機構５の駆動源である。駆動ユニット５３は、モータ５３１と、モータ５３１の駆動力を右側の逆チルト用スライドバー５２に伝達する複数段の歯車とを含む。駆動ユニット５３は、モータ５３１を駆動して、右側の逆チルト用スライドバー５２を進退させる。駆動ユニット５３は、モータ５３１の駆動力を連結軸５４を介して左側の逆チルト用スライドバー５２に伝達する。駆動ユニット５３は、筐体２０の外周である右側面２０ｂに沿って配置されている。
【００３３】
連結軸５４は、駆動ユニット５３と伝達機構５５とを連結する。連結軸５４は、駆動ユニット５３で発生させた駆動力を伝達機構５５に伝達する。より詳しくは、連結軸５４は、モータ５３１の駆動に連動して回転する駆動ユニット５３の歯車の回転によって回転する。連結軸５４の回転によって、伝達機構５５の歯車が回転する。連結軸５４は、筐体２０の外周である底面２０ａに沿って配置されている。
【００３４】
伝達機構５５は、連結軸５４を介して、駆動ユニット５３の駆動力によって左側の逆チルト用スライドバー５２を進退させる。伝達機構５５は、複数段の歯車を有する。伝達機構５５は、右側の逆チルト用スライドバー５２と同じ移動量、左側の逆チルト用スライドバー５２を進退させる。伝達機構５５は、筐体２０の外周である左側面２０ｃに沿って配置されている。
【００３５】
このように構成された逆チルト用駆動機構５は、表示ユニット３の上部をサブパネル２１から離れる方向に移動させて、表示ユニット３の上部をサブパネル２１に対して傾ける。
【００３６】
本実施形態では、第一連結部は、円柱状に形成された第一軸１０１である。第一軸１０１は、表示ユニット３の上部と逆チルト用スライドバー５２とを回動可能に連結する。第一軸１０１は、表示ユニット３の上部に配置されている。第一軸１０１は、表示ユニット３の一対の側面３ａ間の上部をＹ軸方向に貫通している。第一軸１０１は、逆チルト用スライドバー５２の係合部５２ａに回動可能に係合している。第一軸１０１は、一対の逆チルト用スライドバー５２の進退動作に連動して、筐体２０のサブパネル２１に対して進退する。第一軸１０１は、両端部が筐体２０のサブパネル２１のガイド溝２２に摺動可能に挿入されている。第一軸１０１は、逆チルト動作時に、第二溝２２ｂに沿って摺動する。第一軸１０１は、チルト動作時に、第一溝２２ａに沿って摺動する。より詳しくは、第一軸１０１は、一対の逆チルト用スライドバー５２が筐体２０から離れるとき、表示ユニット３の上部を筐体２０から離れる方向に動かす。第一軸１０１は、一対の逆チルト用スライドバー５２が筐体２０へ近づくとき、表示ユニット３の上部を筐体２０へ近づく方向に動かす。
【００３７】
本実施形態では、第二連結部は、円柱状に形成された第二軸１０２である。第二軸１０２は、表示ユニット３の下部と筐体２０のサブパネル２１とを回動可能に連結する。第二軸１０２は、表示ユニット３の下部に配置されている。第二軸１０２は、表示ユニット３の一対の側面３ａ間の下部をＹ軸方向に貫通している。第二軸１０２は、チルト用駆動機構４と表示ユニット３の下部とを回動可能に連結する。より詳しくは、第二軸１０２は、チルト用スライドプレート４１に回動可能に連結されている。第二軸１０２は、チルト動作時に、チルト用スライドプレート４１の進退動作に連動して、筐体２０のサブパネル２１に対して進退する。第二軸１０２は、表示ユニット３が正立状態であるとき、第一軸１０１の下側に位置している。第二軸１０２は、表示ユニット３がチルト状態であるとき、第一軸１０１の前下側に位置している。第二軸１０２は、逆チルト動作時に、筐体２０のサブパネル２１に対する進退動作が規制されて同じ位置に固定されている。第二軸１０２は、表示ユニット３が逆チルト状態であるとき、第一軸１０１の後下側に位置している。
【００３８】
次に、このように構成された電子機器１の逆チルト動作と作用とについて説明する。
【００３９】
まず、図９を用いて、表示ユニット３の正立状態について説明する。図９は、実施形態に係る表示ユニットを示す図であり、表示ユニットの正立状態を示す図である。表示ユニット３は、筐体２０のサブパネル２１と平行な方向に沿って起立している。チルト用スライドプレート４１と一対の逆チルト用スライドバー５２とは、筐体２０に対して後退している。第一軸１０１と第二軸１０２とは、Ｚ軸方向に並んで同一直線上に配置されている。
【００４０】
図１０、図１１を用いて、表示ユニット３の逆チルト動作について説明する。図１０は、実施形態に係る表示ユニットを示す図であり、表示ユニットの逆チルト状態を示す図である。図１１は、実施形態に係る逆チルト用駆動機構とチルト用駆動機構と筐体とを示す斜視図である。逆チルト動作は、表示ユニット３の正立状態から開始される。逆チルト動作が開始されると、逆チルト用駆動機構５の一対の逆チルト用スライドバー５２が駆動ユニット５３のモータ５３１で駆動され、筐体２０のサブパネル２１に対して前進する。第一軸１０１は、一対の逆チルト用スライドバー５２に連動して、第二溝２２ｂに沿って前上側に移動する。逆チルト動作時において、第二軸１０２は、筐体２０のサブパネル２１に対する進退動作が規制されて同じ位置に固定されている。このようにして、表示パネルは、上部が前側に傾き、表面を下向きにした逆チルト状態になる。
【００４１】
このような逆チルト動作において、逆チルト用駆動機構５の一対の逆チルト用スライドバー５２が筐体２０のサブパネル２１に対して前進し、第二軸１０２の進退動作が規制されることで、表示パネルは、表面を下向きにした逆チルト状態になる。また、逆チルト動作において、表示パネルの表面の下部は、正立状態の位置から変化しない。さらに、表示パネルがサブパネル２１内に後退することなく、表示ユニット３が逆チルト状態になる。言い換えると、表示パネルの下部をサブパネル２１内に後退させることなく、かつ、表示パネルの表面の下端部の位置を変化させずに、逆チルト動作が行われる。
【００４２】
上述したように、本実施形態は、逆チルト用駆動機構５の一対の逆チルト用スライドバー５２の進退動作に連動して、第一軸１０１が筐体２０のサブパネル２１に対して進退する。そして、一対の逆チルト用スライドバー５２によって第一軸１０１をガイド溝２２に沿って押し出して、表示パネルをサブパネル２１に対して傾ける。このようにして、表示ユニット３を逆チルト動作させる。本実施形態は、逆チルト動作時に、表示パネルの表面の下部の位置を変化させず、表示パネルをサブパネル２１内に後退させずに、表示ユニット３を逆チルト状態にすることができる。
【００４３】
本実施形態は、逆チルト用駆動機構５を、筐体２０の外周であって電子機器１の各部材が配置されていない空間部Ｓに配置することができる。これにより、本実施形態では、電子機器１におけるデッドスペースである空間部Ｓを有効に活用することができる。
【００４４】
本実施形態は、逆チルト用駆動機構５を空間部Ｓに配置する。また、本実施形態において、逆チルト用駆動機構５は、チルト用駆動機構４とは独立した機構である。これにより、本実施形態は、逆チルト用駆動機構５を、空間部Ｓを有し、従来のチルト用駆動機構４を備える電子機器１に容易に適用することができる。
【００４５】
さて、これまで本発明に係る電子機器１について説明したが、上述した実施形態以外にも種々の異なる形態にて実施されてよいものである。
【００４６】
チルト動作時に、逆チルト用駆動機構５のモータ５３１を駆動させて、一対の逆チルト用スライドバー５２に対して後退する方向の荷重を作用させてもよい。これにより、一対の逆チルト用スライドバー５２を介して、第一軸１０１に対して後退する方向の荷重が作用する。第一軸１０１は、チルト動作時、第一溝２２ａに係合している。これにより、チルト動作時、表示パネルの上部が第一溝２２ａの後方側に押し付けられながら、下方にスライドする。このようにして、チルト動作時における表示パネルのガタツキを抑制することができる。
【００４７】
上記の説明では、ガイド部をガイド溝として説明したが、これに限定されない。ガイド部は、ガイド溝と同様の機能を有するアーム構造であってもよい。
【符号の説明】
【００４８】
１        電子機器
２        読取ユニット
２０      筐体（電子機器本体）
２１      サブパネル（電子機器本体の表面）
２２      ガイド溝（ガイド部）
２２ａ    第一溝
２２ｂ    第二溝
３        表示ユニット
４        チルト用駆動機構
４１      チルト用スライドプレート
４３      ガイドプレート
５        逆チルト用駆動機構（表示パネル駆動機構）
５１      フレーム
５２      逆チルト用スライドバー（スライドバー）
５３      駆動ユニット
５４      連結軸
５５      伝達機構
１０１    第一軸（第一連結部）
１０２    第二軸（第二連結部）
【図１】
2019120741.tif 000003
【図２】
2019120741.tif 000004
【図３】
2019120741.tif 000005
【図４】
2019120741.tif 000006
【図５】
2019120741.tif 000007
【図６】
2019120741.tif 000008
【図７】
2019120741.tif 000009
【図８】
2019120741.tif 000010
【図９】
2019120741.tif 000011
【図１０】
2019120741.tif 000012
【図１１】
2019120741.tif 000013